(57)【要約】【課題】  ＨＤ−ＤＶＤとＢＤ（Blu-Ray Disc）のように、同じ波長のレーザ光を用いるが基板厚の異なる二つの光ディスクを、１つの光ディスク装置で取り扱えるようにし、またＣＤ、ＤＶＤのような更に他の光ディスクとの互換性を実現して、記録又は再生処理が可能な光ピックアップ装置及び光学的情報処理装置を提供する。【解決手段】  基板厚の異なる第１の光ディスク（ＢＤ）及び第２の光ディスク（ＨＤ−ＤＶＤ）のいずれか一方（ＢＤ）用に設定された対物レンズと、液晶レンズとを有するレンズアッセンブリを備え、ＢＤの記録／再生時には、液晶レンズをオフにして開口数０．８５で光ビームを照射し、ＨＤ−ＤＶＤの記録／再生時には、液晶レンズをオンにして開口数０．６５で光ビームを照射するようにした光ピックアップ装置を用いて、情報の記録／再生を行う。【選択図】    図２
2007026540.tif 000002
【特許請求の範囲】
【請求項１】
第１の基板厚を有する第１の光ディスク、又は前記第１の基板厚よりも基板厚が大きい第２の光ディスクに、光ビームを照射して記録及び再生の少なくとも一方（記録／再生）を行う光ピックアップ装置であって、
前記第１及び第２の光ディスクに同一波長の光ビームを照射するための光源と、
前記第１又は第２のいずれか一方の光ディスク用に設定された対物レンズと、
前記対物レンズに対向して同一光軸上に配置され、制御信号によって駆動され光学位相を変化させる収差補正用の光学部材と、を具備し、
前記一方の光ディスクの記録／再生時には、前記一方の光ディスクの記録／再生に適した第１の開口数で光ビームを照射し、前記他方の光ディスクの記録／再生時には、前記光学部材を駆動することにより前記他方の光ディスクの記録／再生に適した第２の開口数で光ビームを照射し、前記他方の光ディスクの記録／再生時に生じる球面収差を補正することを特徴とする光ピックアップ装置。
【請求項２】
前記第１の光ディスクはＢＤ（Blu-Ray Disc）であり、前記第２の光ディスクはＨＤ−ＤＶＤであり、
前記対物レンズは、前記ＢＤ用に設定され、
前記光学部材は液晶素子であり、
前記ＢＤの記録／再生時には、前記液晶素子を非駆動状態（オフ）にして第１の開口数（ＮＡ−ＢＤ）で光ビームを照射し、前記ＨＤ−ＤＶＤの記録／再生時には、前記前記液晶素子を駆動状態（オン）にして前記第１の開口数よりも小さい第２の開口数（ＮＡ−ＨＤ）で光ビームを照射することを特徴とする請求項１記載の光ピックアップ装置。
【請求項３】
前記第１の光ディスクはＢＤであり、前記第２の光ディスクはＨＤ−ＤＶＤであり、
前記対物レンズは、前記ＨＤ−ＤＶＤ用に設定され、
前記光学部材は液晶素子であり、
前記ＨＤ−ＤＶＤの記録／再生時には、前記液晶素子を非駆動状態（オフ）にして第１の開口数（ＮＡ−ＨＤ）で光ビームを照射し、前記ＢＤの記録／再生時には、前記前記液晶素子を駆動状態（オン）にして前記第１の開口数よりも大きい第２の開口数（ＮＡ−ＢＤ）で光ビームを照射することを特徴とする請求項１記載の光ピックアップ装置。
【請求項４】
前記対物レンズは、前記第１の開口数（ＮＡ−ＨＤ）より大きい開口数で最適化されており、
前記ＨＤ−ＤＶＤの記録／再生時に、前記液晶素子をオフにした状態で当該液晶素子の周辺領域の光を前記対物レンズで集光しないようにする手段を有することを特徴とする請求項３記載の光ピックアップ装置。
【請求項５】
前記光源とは異なる波長の光ビームを照射するための第２の光源を有し、
前記液晶素子をオフにして第１の開口数（ＮＡ−ＨＤ）で前記第２の光源の光ビームを前記対物レンズに照射し、第３の光ディスクであるＤＶＤの記録／再生を行うようにしたことを特徴とする請求項３記載の光ピックアップ装置。
【請求項６】
前記液晶素子により発生する収差補正量λを、
λ＝ａ１・ρ２＋ａ２・ρ４＋ａ３・ρ６・・・
(ρはＨＤ−ＤＶＤ用の開口径で正規化した間口半径)
で表したとき、−１４≦al≦１４であることを特徴とする請求項２記載の光ピックアップ装置。
【請求項７】
第１の基板厚を有する第１の光ディスク、前記第１の基板厚よりも基板厚が大きい第２の光ディスク、又は前記第１及び第２の光ディスクの少なくともいずれか一方とは厚さの異なる第３の基板厚を有する第３の光ディスクに光ビームを照射して記録／再生を行う光ピックアップ装置であって、
前記第１及び第２の光ディスクに同一波長の第１の光ビームを照射するための第１の光源と、
前記第３の光ディスクに第１の光ビームの波長と異なる波長の第２の光ビームを照射するための第２の光源と、
前記第１又は第２のいずれか一方の光ディスク用に設定された第１の対物レンズと、
前記第１の対物レンズに対向して同一光軸上に配置され、制御信号によって駆動され光学位相を変化させる収差補正用の光学部材と、
前記第３の光ディスク用に設定され前記第１の対物レンズとは別の光軸上に配置された第２の対物レンズと、を具備し、
前記第１又は第２の一方の光ディスクの記録／再生時には、前記一方の光ディスクの記録再生に適した第１の開口数で前記第１の光ビームを照射し、前記他方の光ディスクの記録／再生時には、前記光学部材を駆動することにより前記他方の光ディスクの記録／再生に適した第２の開口数で前記第１の光ビームを照射して前記他方の光ディスクの記録／再生時に生じる球面収差を補正するとともに、
前記第３の光ディスクの記録／再生時には、前記第３の光ディスクの記録再生に適した開口数で前記第２の対物レンズに前記第２の光ビームを照射することを特徴とする光ピックアップ装置。
【請求項８】
前記第１の光ディスクはＢＤであり、前記第２の光ディスクはＨＤ−ＤＶＤであり、
前記第１の対物レンズは、前記ＢＤ用に設定され、
前記光学部材は液晶素子であり、
この液晶素子により発生する収差補正量λを、
λ＝ａ１・ρ２＋ａ２・ρ４＋ａ３・ρ６・・・
(ρは前記ＨＤ−ＤＶＤ用の開口径で正規化した間口半径)
で表したとき、−１４≦al≦１４であることを特徴とする請求項７記載の光ピックアップ装置。
【請求項９】
前記第１の光ディスクはＢＤであり、前記第２の光ディスクはＨＤ−ＤＶＤであり、前記第３の光ディスクはＤＶＤであり、
前記第１の対物レンズは、前記ＢＤ用に設定され、
前記光学部材は液晶素子であり、
前記ＢＤの記録／再生時には、前記液晶素子を非駆動状態（オフ）にして第１の開口数（ＮＡ−ＢＤ）で前記第１の光ビームを照射し、前記ＨＤ−ＤＶＤの記録／再生時には、前記前記液晶素子を駆動状態（オン）にして前記第１の開口数よりも小さい第２の開口数（ＮＡ−ＨＤ）で前記第１の光ビームを照射し、
前記第２の対物レンズは、前記ＤＶＤ用に設定され、前記第２の開口数（ＮＡ−ＨＤ）と略同じ第３の開口数（ＮＡ−ＤＶＤ）で前記第２の光ビームを照射することを特徴とする請求項７記載の光ピックアップ装置。
【請求項１０】
前記第１の光ディスクはＢＤであり、前記第２の光ディスクはＨＤ−ＤＶＤであり、前記第３の光ディスクはＤＶＤであり、
前記第１の対物レンズは、前記ＨＤ−ＤＶＤ用に設定され、
前記光学部材は液晶素子であり、
前記ＨＤ−ＤＶＤの記録／再生時には、前記液晶素子を非駆動状態（オフ）にして第１の開口数（ＮＡ−ＨＤ）で前記第１の光ビームを照射し、前記ＢＤの記録／再生時には、前記前記液晶素子を駆動状態（オン）にして前記第１の開口数よりも大きい第２の開口数（ＮＡ−ＢＤ）で前記第１の光ビームを照射し、
前記第２の対物レンズは、前記ＤＶＤ用に設定され、前記第１の開口数（ＮＡ−ＨＤ）と略同じ第３の開口数（ＮＡ−ＤＶＤ）で前記第２の光ビームを照射することを特徴とする請求項７記載の光ピックアップ装置。
【請求項１１】
前記第１、第２、第３のいずれの基板厚よりも大きい基板厚を有する第４の光ディスクに、前記第１、第２のレーザ光源と波長の異なる第３の光ビームを照射するための第３のレーザ光源を有し、
前記第４の光ディスクの記録／再生時には、前記第４の光ディスクに適した開口数で前記第２の対物レンズに第３の光ビームを照射することを特徴とする請求項７記載の光ピックアップ装置。
【請求項１２】
前記第１の対物レンズと、前記光学部材を第１の光軸上に配置し、前記第２の対物レンズを前記第１の光軸と平行な第２の光軸上に並設するレンズホルダと、
前記レンズホルダの位置を制御するアクチュエータと、を更に具備し、
前記第１の光軸上に配置された前記第１の対物レンズと前記光学部材を、前記第２の対物レンズよりも、前記レンズホルダの重心に近い位置に設置したことを特徴とする請求項７記載の光ピックアップ装置。
【請求項１３】
第１の基板厚を有する第１の光ディスク、又は前記第１の基板厚よりも基板厚が大きい第２の光ディスクに、光ビームを照射して記録／再生を行う光ピックアップ装置であって、
前記第１及び第２の光ディスクに同一波長の光ビームを照射するための光源と、
前記第１の光ディスク用に設定された第１の対物レンズと、
前記第２の光ディスク用に設定された第２の対物レンズと、
前記光源からの光ビームの光路を、前記第１の対物レンズと前記第２の対物レンズに切り換える光路切換手段と、を備え、
前記第１の光ディスクの記録／再生時には、前記第１の光ディスクの記録／再生に適した第１の開口数で光ビームを照射し、前記第２の光ディスクの記録／再生時には、前記第２の光ディスクの記録／再生に適した第２の開口数で光ビームを照射することを特徴とする光ピックアップ装置。
【請求項１４】
前記光路切換手段は、エレクトロクロイズムミラーを具備したことを特徴とする請求項１３記載の光ピックアップ装置。
【請求項１５】
前記第１の光ディスクはＢＤであり、前記第２の光ディスクはＨＤ−ＤＶＤであり、
前記ＢＤの記録／再生時には、第１の開口数（ＮＡ−ＢＤ）で前記第１の対物レンズに光ビームを照射し、前記ＨＤ−ＤＶＤの記録／再生時には、前記第２の開口数（ＮＡ−ＨＤ）で前記第２の対物レンズに光ビームを照射することを特徴とする請求項１３記載の光ピックアップ装置。
【請求項１６】
前記光源とは異なる波長の光ビームを照射するための第２の光源を有し、
この第２の光源の光ビームを前記第２の対物レンズに照射し、第３の光ディスクの記録／再生を行うことを特徴とする請求項１３の光ピックアップ装置。
【請求項１７】
前記第１の光ディスクはＢＤであり、前記第２の光ディスクはＨＤ−ＤＶＤであり、前記第３の光ディスクはＤＶＤであり、前記第２の対物レンズに前記光源の光ビームと前記第２の光源の光ビームの一方を選択的に供給することを特徴とする請求項１６記載の光ピックアップ装置。
【請求項１８】
前記第１の光ディスクはＢＤであり、前記第２の光ディスクはＨＤ−ＤＶＤであり、前記第３の光ディスクはＣＤであり、前記第２の対物レンズに前記光源の光ビームと前記第２の光源の光ビームの一方を選択的に供給し、ＣＤの記録／再生時には、前記第２の対物レンズにＣＤの記録／再生に適した開口数（ＮＡ−ＣＤ）で光ビームを照射することを特徴とする請求項１６記載の光ピックアップ装置。
【請求項１９】
所定の基板厚を有する光ディスクに、光ビームを照射して記録／再生を行う光ピックアップ装置であって、
前記光ディスクに所定波長の光ビームを照射するための光源と、
前記光ディスクの再生用に設定された第１の対物レンズと、前記光ディスクの記録用に設定された第２の対物レンズと、
前記光源からの光ビームの光路を、再生時と記録時で切り換えて前記第１の対物レンズ又は前記第２の対物レンズに選択的に導く光路切換手段と、を具備したことを特徴とする光ピックアップ装置。
【請求項２０】
前記光ディスクはＢＤ又はＨＤ−ＤＶＤであり、前記光源から青色レーザの光ビームを照射することを特徴とする請求項１９記載の光ピックアップ装置。
【請求項２１】
前記光路切換手段により、再生時には前記光源から前記第１の対物レンズに導かれる光量を吸収し、記録時には前記第２の対物レンズに導かれる光量の吸収を再生時よりも相対的に少なくして、再生時と記録時のレーザパワーの差を大きくしたことを特徴とする請求項１９の光ピックアップ装置。
【請求項２２】
光ディスクの径方向に光ピックアップ装置を移動させて前記光ディスクに信号を記録し、又は記録された信号を再生する光学的情報処理装置において、
前記光ディスクとして、第１の基板厚を有する第１の光ディスク、又は前記第１の基板厚よりも基板厚が大きい第２の光ディスクを回転駆動するスピンドルモータと、
前記第１及び第２の光ディスクの記録／再生を制御するコントローラとを備え、
前記光ピックアップ装置は、
前記第１及び第２の光ディスクに同一波長の光ビームを照射するための光源と、
前記第１又は第２のいずれか一方の光ディスク用に設定された対物レンズと、前記対物レンズに対向して同一光軸上に配置され、前記コントローラの指示に基づき制御信号によって駆動される収差補正用の光学部材とを具備し、
前記一方の光ディスクの記録／再生時には、前記一方の光ディスクの記録／再生に適した第１の開口数で光ビームを照射し、前記他方の光ディスクの記録／再生時には、前記光学部材を駆動することにより前記他方の光ディスクの記録／再生に適した第２の開口数で光ビームを照射し、前記他方の光ディスクの記録・再生時に生じる球面収差を補正することを特徴とする光学的情報処理装置。
【請求項２３】
光ディスクの径方向に光ピックアップ装置を移動させて前記光ディスクに信号を記録し、又は記録された信号を再生する光学的情報処理装置において、
前記光ディスクとして、第１の基板厚を有する第１の光ディスク、前記第１の基板厚よりも基板厚が大きい第２の光ディスク、又は前記第１及び第２の光ディスクの少なくとも一方とは厚さの異なる第の基板厚を有する第３のディスクを回転駆動するスピンドルモータと、
前記第１、第２及び第３の光ディスクの記録／再生を制御するコントローラとを備え、
前記光ピックアップ装置は、
前記第１及び第２の光ディスクに同一波長の第１の光ビームを照射するための第１の光源と、前記第３の光ディスクに第１の光ビームの波長と異なる波長の第２の光ビームを照射するための第２の光源と、前記第１又は第２のいずれか一方の光ディスク用に設定された第１の対物レンズと、前記第１の対物レンズに対向して同一光軸上に配置され前記コントローラの指示に基づき制御信号によって駆動される収差補正用の光学部材と、前記第３の光ディスク用に設定され前記第１に対物レンズとは別の光軸上に配置された第２の対物レンズとを具備し、
前記第１又は第２の一方の光ディスクの記録／再生時には、前記一方の光ディスクの記録／再生に適した第１の開口数で前記第１の光ビームを照射し、前記他方の光ディスクの記録／再生時には、前記光学部材を駆動することにより前記他方の光ディスクの記録／再生に適した第２の開口数で前記第１の光ビームを照射して前記他方の光ディスクの記録／再生時に生じる球面収差を補正するとともに、
前記第３の光ディスクの記録／再生時には、前記第３の光ディスクの記録／再生に適した開口数で前記第２の対物レンズに前記第２の光ビームを照射することを特徴とする光学的情報処理装置。
【請求項２４】
光ディスクの径方向に光ピックアップ装置を移動させて前記光ディスクに信号を記録し、又は記録された信号を再生する光学的情報処理装置において、
前記光ディスクとして、第１の基板厚を有する第１の光ディスク、又は前記第１の基板厚よりも基板厚が大きい第２の光ディスクを回転駆動するスピンドルモータと、
前記第１及び第２の光ディスクの記録／再生を制御するコントローラとを備え、
前記光ピックアップ装置は、
前記第１及び第２の光ディスクに同一波長の光ビームを照射するための光源と、前記第１の光ディスク用に設定された第１の対物レンズと、前記第２の光ディスク用に設定された第２の対物レンズと、前記コントローラの指示に基づき、前記光源からの光ビームの光路を、前記第１の対物レンズと前記第２の対物レンズに切り換える光路切換手段とを具備し、
前記第１の光ディスクの記録／再生時には、前記第１の光ディスクの記録／再生に適した第１の開口数で光ビームを照射し、前記第２の光ディスクの記録／再生時には、前記第２の光ディスクの記録／再生に適した第２の開口数で光ビームを照射することを特徴とする光学的情報処理装置。
【請求項２５】
光ディスクの径方向に光ピックアップ装置を移動させて前記光ディスクに信号を記録し、又は記録された信号を再生する光学的情報処理装置において、
前記光ディスクを回転駆動するスピンドルモータと、
前記光ディスクの記録／再生を制御するコントローラとを備え、
前記光ピックアップ装置は、
前記光ディスクに青色レーザの光ビームを照射するための光源と、前記光ディスクの再生用に設定された第１の対物レンズと、前記光ディスクの記録用に設定された第２の対物レンズと、前記光源からの光ビームの光路を、再生時と記録時で切り換えて前記第１の対物レンズ又は前記第２の対物レンズに導く光路切換手段とを具備し、
前記コントローラの指示に基づき、前記光ピックアップ装置の前記第１の対物レンズと前記第２の対物レンズとを、記録時と再生時とで切り換えることを特徴とする光学的情報処理装置。
【発明の詳細な説明】
【技術分野】
【０００１】
本発明は、光ピックアップ装置、及び光ピックアップ装置を搭載した光学的情報処理装置に係り、特に基板厚や開口数の異なる光ディスクへの記録処理や再生処理を行う光学的情報処理装置に関する。
【背景技術】
【０００２】
従来、ＣＤ(コンパクト・ディスク)、ＣＤ−ＲＯＭ、ＤＶＤ（デジタル・バーサタイル・ディスク）や、光磁気ディスク等の光学記憶媒体(以下、光ディスクと称す)に光学的に情報を記録したり、光ディスクに記録された情報を再生するため（以下、記録及び再生の少なくとも一方の動作を行うことを記録／再生と記載する）、光学的情報処理装置（以下、光ディスク装置と称す）が開発されている。また、最近では、次世代高密度光ディスクとして大容量化を図った、ＨＤ−ＤＶＤやＢＤ（Blu-Ray Disc）も開発されている。
【０００３】
一方、上記した各種の光ディスクは、基板表面から記録層までの厚さ（基板厚)や、記録・再生に使用するレーザの波長、対物レンズの開口数が異なっているため、複数種類の光ディスクを１つの光ディスク装置で取り扱えるようにしたものも開発されている。
【０００４】
例えば、従来から普及しているＣＤやＤＶＤに対して、信号の読み書きを１つの光ピックアップ装置で実現したものが特許文献１や特許文献２に記載されている。特許文献１では、液晶シャッターを用いて開口数を切り変え、収差補正を行うようにしている。また、特許文献２では、軸摺動型の支持手段でＣＤ用とＤＶＤ用の二つの対物レンズを支持し、軸を中心に支持手段を回転して対物レンズを切り換えるようにしている。
【０００５】
更に、非特許文献１には、ＢＤとＤＶＤの両方の取り扱いを可能にするため、ＢＤ用の対物レンズに波長選択性素子（ＷＳＥ）を組み合わせて、ＤＶＤの基板厚の相違により発生する収差を補正した例が記載されている。
【特許文献１】特開平１０−２４１１９１号公報
【特許文献２】特開平１０−１７２１５１号公報
【非特許文献１】ISOM03 Th-G-08（Minolta）「Blu-ray Disc / DVD Compatible objective Lens Assembly」（２００３年光メモリ国際学会資料）
【発明の開示】
【発明が解決しようとする課題】
【０００６】
特許文献1では、基板厚の相違により発生する収差を液晶シャッターで補正しているが、ＣＤとＤＶＤのように波長の異なる２つのフォーマットの光ディスクを背景に成されたものであり、現在のように基板厚、開口数及びレーザ光の波長の各要素が同じものや異なるものが多種多様に登場している場合、どのような光ディスクにどのように液晶シャターを利用するか開示されておらず、また開口数や補正する基板厚の差が大きいと、像高や、液晶シャッターの収差補正機能を有する部分と対物レンズとの偏心により、光学特性の悪化を招くという問題がある。 
又、特許文献２では、ＤＶＤ用とＣＤ用とで異なる対物レンズを切り換えて使用しているが、機械的な信頼性や生産性で更なる改善が必要である。更に非特許文献１では、ＢＤ用の対物レンズに波長選択性素子（ＷＳＥ）を組み合わせてＤＶＤの基板厚の相違により発生する収差を補正しているが、装置の小形化やコスト面で課題があり、またＣＤとの互換性に適さないという問題がある。
【０００７】
本発明は上記事情を考慮してなされたもので、ＨＤ−ＤＶＤとＢＤのように、同じ波長のレーザ光（光ビーム）を用いるが基板厚の異なる二つの光ディスクを、１つの光ディスク装置で取り扱えるようにし、またＣＤ、ＤＶＤのような、更に他の光ディスクとの互換性を実現して、記録処理や再生処理が可能な光ピックアップ装置及び光学的情報処理装置を提供することを目的とする。
【課題を解決するための手段】
【０００８】
本願発明の光ピックアップ装置は、第１の基板厚を有する第１の光ディスク、又は前記第１の基板厚よりも基板厚が大きい第２の光ディスクに、光ビームを照射して記録／再生を行う光ピックアップ装置であって、前記第１及び第２の光ディスクに同一波長の光ビームを照射するための光源と；前記第１又は第２のいずれか一方の光ディスク用に設定された対物レンズと；前記対物レンズに対向して同一光軸上に配置され、制御信号によって駆動され光学位相を変化させる収差補正用の光学部材と；を具備し、前記一方の光ディスクの記録／再生時には、前記一方の光ディスクの記録再生に適した第１の開口数で光ビームを照射し、前記他方の光ディスクの記録／再生時には、前記光学部材を駆動することにより前記他方の光ディスクの記録／再生に適した第２の開口数で光ビームを照射し、前記他方の光ディスクの記録／再生時に生じる球面収差を補正することを特徴とする。
【０００９】
また、本願発明の光学的情報処理装置は、光ディスクの径方向に光ピックアップ装置を移動させて前記光ディスクに信号を記録し、又は記録された信号を再生し、前記光ディスクとして、第１の基板厚を有する第１の光ディスク、又は前記第１の基板厚よりも基板厚が大きい第２の光ディスクを回転駆動するスピンドルモータと、前記第１及び第２の光ディスクの記録／再生を制御するコントローラとを備え、前記光ピックアップ装置は、前記第１及び第２の光ディスクに同一波長の光ビームを照射するための光源と；前記第１又は第２のいずれか一方の光ディスク用に設定された対物レンズと、前記対物レンズに対向して同一光軸上に配置され、前記コントローラの指示に基づき制御信号によって駆動される収差補正用の光学部材と；を具備し、前記一方の光ディスクの記録／再生時には、前記一方の光ディスクの記録／再生に適した第１の開口数で光ビームを照射し、前記他方の光ディスクの記録／再生時には、前記光学部材を駆動することによって前記他方の光ディスクの記録／再生に適した第２の開口数で光ビームを照射、前記他方の光ディスクの記録／再生時に生じる球面収差を補正することを特徴とする。
【発明の効果】
【００１０】
本発明によれば、ＨＤ−ＤＶＤとＢＤのように、同じ波長の光ビームを用いるが基板厚の異なる二つの光ディスクに情報を記録し、又は記録した情報を再生可能であり、ＤＶＤやＣＤのような更に他の光ディスクに記録又は再生が可能な光ピックアップ装置及び光学的情報処理装置を提供することができる。
【発明を実施するための最良の形態】
【００１１】
以下、この発明の実施の形態について図面を参照して詳細に説明する。
【実施例１】
【００１２】
図１は本発明の一実施形態の光ピックアップ装置の光学系を示す構成図、図２は本発明の一実施形態の光ピックアップ装置の主要部の構成と動作を説明するための説明図である。
【００１３】
図1の光ピックアップ装置１００において、１は光学的情報記録媒体（光ディスク）、２はアクチュエータ、２０は対物レンズを含むレンズアッセンブリである。レンズアッセンブリ２０の詳細な構成は、図２において説明する。このレンズアッセンブリ２０は、対物レンズを高速かつ高精度に動かすための機構を組み込み、アクチュエータ２の駆動により、対物レンズの光軸方向及び光軸と垂直方向（つまり光ディスク１の内周方向及び外周方向）の２軸に沿って変移し、対物レンズから光ディスク１への光スポットの位置制御を行う。
【００１４】
また、３はＨＤ−ＤＶＤ用及びＢＤ用の光ビームを出射するレーザ光源、４はＤＶＤ用の光ビームを出射するレーザ光源、５はＣＤ用の光ビームを出射するレーザ光源である。レーザ光源３のレーザ波長は４０５ｎｍ(青色波長)であり、レーザ光源４のレーザ波長は６５５ｎｍ(赤色波長)であり、レーザ光源５のレーザ波長は７８０ｎｍ（赤外波長）である。
【００１５】
また、６はダイクロイックミラー、７はトリクロイックミラーであり、レーザ光源３，４，５からの光ビームを同一の光軸に沿ってビームスプリッタ８に入射するためのものである。レーザ光源３からの光ビームは、ダイクロイックミラー６及びトリクロイックミラー７を透過してビームスプリッタ８に入射し、レーザ光源４からの光ビームは、ダイクロイックミラー６で反射され、トリクロイックミラー７を透過してビームスプリッタ８に入射し、レーザ光源５からの光ビームは、トリクロイックミラー７で反射されてビームスプリッタ８に入射する。
【００１６】
ビームスプリッタ８は、各レーザ光源３，４，５からの光をレンズアッセンブリ２０側へ反射するとともに、光ディスク１から反射された光を透過する。９は、ビームスプリッタ８で反射された光ビームを収束して平行光にするコリメータレンズであり、１０はコリメータレンズ９からの光ビームを反射してレンズアッセンブリ２０を介して光ディスク１に導く反射ミラーである。
【００１７】
更に、１１は受光素子であり、光ディスク１に当たって反射された光が、レンズアッセンブリ２０、反射ミラー１０、コリメートレンズ９を経由し、更にビームスプリッタ８を透過して入射され、光ディスクに記録された情報（映像・音声信号）、トラッキング信号及びフォーカシング信号を検出するものである。また、受光素子１１とビームスプリッタ８の間には、フォーカシング信号を検出できるようにするためのシリンドリカルレンズ１２が配置されている。
【００１８】
図２（ａ）は、レンズアッセンブリ２０の構成を示すもので、光ディスク１と対面する側にＢＤ用に設定された対物レンズ２１を配し、対物レンズ２１と所定間隔を置いて別の光学部材である液晶素子（液晶レンズ２２）を配置し、これら対物レンズ２１と液晶レンズ２２をレンズホルダ２３に装着して成る。また、液晶レンズ２２をオン・オフ駆動する駆動回路２４を備えている。レンズアッセンブリ２０は、アクチュエータ２により、ディスクの面振れや偏心に追従して位置制御され、光ディスクへの情報の記録や、光ディスクに記録された情報の再生を行うためのトラッキング制御及びフォーカシング制御に利用される。
【００１９】
液晶レンズ２２は、液晶シャッターの機能を有し、駆動回路２４から制御電圧を印加することにより屈折率を可変でき、つまり光学位相を変化させることができ、例えばＢＤとＨＤ−ＤＶＤとの基板厚の差による球面収差を補正するものである。
【００２０】
図２（ｂ），（ｃ）は、液晶レンズ２２の動作を説明する図であり、（ｂ）はＢＤの記録／再生時の動作を示し、（ｃ）はＨＤ−ＤＶＤの記録／再生時の動作を示すものである。尚、ＢＤとＨＤ−ＤＶＤの記録／再生時に使用するレーザ波長は４０５ｎｍであり、レーザ光源３からの光ビームが使用される。また、ＢＤの記録／再生に適した開口数（ＮＡ−ＢＤ）、つまり対物レンズの開口数ＮＡ（Numerical Aperture）は０．８５であり、ＨＤ−ＤＶＤの記録／再生に適した開口数（ＮＡ−ＨＤ）は、０．６５であることが知られている。
【００２１】
図２（ｂ）において、ＢＤ１ａの基板厚は０．１ｍｍであり、このとき液晶レンズ２２はオフ状態にあり、収差を発生しないため、平行平板として作用する。一方、図２（ｃ）において、ＨＤ−ＤＶＤ１ｂの基板厚は０．６ｍｍであり、このとき液晶レンズ２２はオン状態にある。
【００２２】
図２（ｂ）に示すように、ＢＤの記録／再生においては液晶レンズ２２をオフにする。これより液晶レンズ２２の入射光は収差を発生することなく対物レンズ２１に入射するため、ＢＤ１ａに適したスポットを形成して、ＢＤの記録／再生を行う。
【００２３】
また、図２（ｃ）に示すように、ＨＤ−ＤＶＤ１ｂの記録／再生においては液晶レンズ２２をオンにする。これより液晶レンズ２２は、液晶分子の配向状態が変わり屈折率が変化し、ＢＤとＨＤ−ＤＶＤとの基板厚の差によって生じる球面収差を補正する収差を付加して対物レンズ１に光ビームを入射する。この結果、液晶レンズ２２で発生する補正収差によって、ＢＤ１ａとの基板厚の差により発生する収差がキャンセルされて、開口数ＮＡは０．６５となり、ＨＤ−ＤＶＤ１ｂに適したスポットを形成して、ＨＤ−ＤＶＤ１ｂの記録／再生を行う。
【００２４】
図３は、液晶レンズ２２がオンのときに開口径ρに対して発生する収差の一例である。図３の横軸は、光軸と垂直な直線上の位置に相当し、光軸の中心をOとし、縦軸は球面収差量λを表している。通常、光ビームは円形のビームスポットであり、球面収差も半径方向に変化し、基板厚が大きくなると球面収差の２つのピークが大きくなる。
【００２５】
つまり、液晶レンズ２２は球面収差補正手段を構成し、駆動回路２４は球面収差制御回路となる。図３に示す液晶レンズ２２により発生する収差補正量λを、
収差補正量  λ＝ａ１・ρ２＋ａ２・ρ４＋ａ３・ρ６・・・（１）
(ρはＨＤ−ＤＶＤの開口径で正規化した開口半径)   
で表したとき、ρ２はパワーの項となる。ａ１はパワーの係数であり、ａ２は３次の収差誤差の補正係数を示し、ａ３は５次の収差誤差の補正係数を示している。
【００２６】
液晶レンズ２２の入射光が平行光の場合、ａ１＞０のときＢＤ用対物レンズ２１の入射光は拡散光となり、ａ１＜０のときはＢＤ用対物レンズ２１の入射光は収束光となる。ＨＤ−ＤＶＤの基板厚は０．６ｍｍであり、ＢＤの基板厚０．１ｍｍと比較して厚いため、液晶レンズ２２のａ１を正にしてＢＤ用対物レンズ２１の入射光を拡散光にすることにより、球面収差の一部をキャンセルする。つまりａ１が大きくなるとａ２が小さくなる関係にある。
【００２７】
基板厚の差により発生する球面収差は開口数の４乗に比例するため、開口数が大きいディスクの互換では補正する球面収差の量が大きい。ＢＤ用対物レンズ２１と液晶レンズ２２の偏心により、補正する球面収差量に応じてコマ収差が発生するため、図４に示すように、組立て精度や信頼性から許容できるａ１の値があり（図４中、縦の破線より右側）、その限界値がalの下限となる。
【００２８】
一方で、図５に示すように、alの値が大きくなると像高特性が悪化する。像高とは、結像位置の光軸からのズレであり、入射光の入射の向きの偏りによって生じる。これにより同様に組立て精度や信頼性から許容できるalの値（図５中、縦の破線より左側）に上限が存在する。
【００２９】
図４、図５の横軸はパワーの係数を示し、縦軸は収差の大きさを示している。収差の大きさは、基板厚、開口数によって変化する。ａ１の許容値は設計許容値であり、ＢＤの場合波長が短く開口数が大きいので許容値は小さい。
【００３０】
ＢＤとＨＤ−ＤＶＤのディスク基板厚差が０．５ｍｍ、ＨＤ−ＤＶＤの開口数が０．６５のとき、ａ１の許容値は、−１４≦al≦１４となる。このように構成することにより、偏心特性、像高特性のいずれも良好な特性のＨＤ／ＢＤ互換光学系を実現することができる。
【００３１】
また、図１のピックアップ装置１００において、レーザ光源４又はレーザ光源５の光ビームにより、ＤＶＤ又はＣＤの記録／再生を行うには、図示していないが、既知のＢＤとＤＶＤの互換光学系（例えば非特許文献１に記載された技術）やＨＤ−ＤＶＤとＤＶＤ／ＣＤの互換光学系を適用することが可能である。つまり、ＢＤの互換光学系を利用する場合は、液晶レンズ２２をオフ状態にして利用し、ＨＤ−ＤＶＤの互換光学系を利用する場合は、液晶レンズ２２をオン状態にして利用する。
【００３２】
図６はレンズアッセンブリ２０の別の例を示したもので、図１の対物レンズ２１と液晶レンズ２２のほかに、ＤＶＤ／ＣＤ互換用の対物レンズ２５をレンズホルダ２３に一体に装着して、アクチュエータ２を用いて、レンズ位置を制御し、一般のＤＶＤとＣＤの記録・再生を可能にしたピックアップ装置を示したものである。
【００３３】
ＢＤ用に設定された対物レンズ２１と液晶レンズ２２には、ＨＤ−ＤＶＤとＢＤの記録・再生に必要な波長４０５ｎｍの光をレーザ光源３から入射する。また、ＤＶＤ／ＣＤ用の対物レンズ２５には、レーザ光源４からＤＶＤの記録／再生に必要な波長６５５ｎｍの光ビームを入射し、レーザ光源５からＣＤの記録／再生に必要な７８０ｎｍの光ビームを入射する。
【００３４】
各々のレンズに入射する光は波長が異なるため、前記レーザ光源３，４，５は、使用時にいずれかを選択的に照射し、例えばダイクロイックプリズムのような波長選択性の光学部品を用いて光路を選択する。
【００３５】
このように構成することにより、ＢＤ用に設定された対物レンズ２１と液晶レンズ２２、及びＤＶＤ／ＣＤ互換用の対物レンズ２５を別々に用いて、４種類の異なるディスクの記録／再生ができる。このように２つの対物レンズを用いることにより、光ビーム分離用の光学系を簡素化し、各光ビームの光学経路におけるロスを減少させることができる。
【００３６】
尚、図６のレンズアッセンブリ２０は、アクチュエータ２を用いて、ディスクの面振れや偏心に追従して位置を制御し、記録／再生を行うが、ディスクの回転数が１０ＫＨｚ以上の周波数において、レンズホルダ２３が偏移しやすくなるため、サーボ系の安定性に影響を与えることがある。このため、質量の大きい対物レンズ２１と液晶レンズ２２は、前記アクチュエータの可動部の重心（ｇ）に近い位置に装着している。このように構成することにより、レンズホルダ３の偏移を抑制して、面振れ、偏心に対して安定なサーボを実現することができる。
【実施例２】
【００３７】
次に、本発明の第２の実施形態について、図７、図８を参照して説明する。
【００３８】
図７の光ピックアップ装置２００は、図１の構成と比較してレンズアッセンブリ３０を用いた点で相違するが、その他の構成は同じであるため、詳細な説明は省略する。
【００３９】
図８（ａ）は、レンズアッセンブリ３０の構成を示すもので、光ディスク１と対面する側にＨＤ−ＤＶＤ用に設定された対物レンズ３１を配し、対物レンズ３１と所定間隔を置いて別に光学部材である液晶レンズ３２を配置し、これら対物レンズ３１と液晶レンズ３２をレンズホルダ３３に装着して成る。また、液晶レンズ３２をオン・オフ駆動する駆動回路３４を備えている。レンズアッセンブリ３０は、アクチュエータ２により、ディスクの面振れや偏心に追従して位置制御され、光ディスクへの情報の記録や、光ディスクに記録された情報の再生を行うためのトラッキング制御及びフォーカシング制御に利用される。
【００４０】
液晶レンズ３２は、液晶シャッターの機能を有し、例えばＨＤ−ＤＶＤとＢＤの基板厚の差による球面収差を補正するものである。液晶レンズ３２は液晶がオフのときには収差を発生しないため、平行平板として作用し、液晶がオンのときには、ＨＤ−ＤＶＤとＢＤの基板厚の差による球面収差を補正する収差を発生する。
【００４１】
図８（ｂ）に示すように、ＨＤ−ＤＶＤの記録／再生においては液晶レンズ３２の液晶をオフにする。これより液晶レンズ２の入射光は収差を発生することなくＨＤ−ＤＶＤ用対物レンズ３１に入射するため、ＨＤ−ＤＶＤ１ｂに適したスポットを形成して、ＨＤ−ＤＶＤ１ｂの記録・再生を行う。
【００４２】
また、図８（ｃ）に示すように、ＢＤ１ａの記録／再生時においては液晶レンズ３２の液晶をオンにする。液晶レンズ３２は、ＢＤとＨＤ−ＤＶＤの基板厚の差による球面収差を補正する収差を付加して対物レンズ３１に光ビームを入射する。これより液晶レンズ３２により発生する補正収差によって、ＢＤの基板厚により発生する収差がキャンセルされて、ＢＤ１ａに最適なスポットを形成して、ＢＤの記録／再生を行う。尚、ＢＤとＨＤ−ＤＶＤの記録／再生時に使用するレーザ波長は４０５ｎｍであり、レーザ光源３からの光ビームが使用される。
【００４３】
更に、図８（ｄ）に示すように、ＤＶＤ１ｃの記録／再生においては、レーザ光源４からの６５５ｎｍの赤色光レーザを用い、かつ液晶レンズ３２はオフにする。これより液晶レンズ３２の入射光は収差を発生することなく対物レンズ３１に入射する。ＨＤ−ＤＶＤ１ｂとＤＶＤ１ｃは、基板厚（０．６ｍｍ）と開口数（０．６５）がどちらも略等しい（規格上は同じ設定になっている）ため、ＤＶＤ１ｃに適したスポットを形成してＤＶＤ１ｃの記録／再生を行うことができる。
【００４４】
このように構成することにより、ＨＤ用に設定された対物レンズ３１と液晶レンズ３２を用いて、ＨＤ−ＤＶＤ，ＢＤ，ＤＶＤの記録／再生を実現することができる。また、これに既存のＤＶＤ／ＣＤ互換技術を組み合わせることにより、４種類の光ディスクへの記録及び再生を可能にできる。
【実施例３】
【００４５】
本発明の第３の実施形態について、図９、図１０を参照して説明する。図９の光ピックアップ装置３００は、図１，図７の構成と比較してレンズアッセンブリ４０を用いた点で相違するが、その他の構成は同じであるため、詳細な説明は省略する。
【００４６】
図１０（ａ）は、レンズアッセンブリ４０の構成を示すもので、光ディスク１と対面する側にＨＤ−ＤＶＤ用に設定された対物レンズ４１を配し、対物レンズ４１と所定間隔を置いて液晶レンズ４２を配置し、これら対物レンズ４１と液晶レンズ４２をレンズホルダ４３に装着して成る。ＨＤ−ＤＶＤ用対物レンズ４１と液晶レンズ４２は、開口数がＨＤ−ＤＶＤ用より大きい開口数を有しており、液晶レンズ４２は、開口の不要部分（図のハッチング領域４２１）に他の液晶を配置し、ＨＤ−ＤＶＤ１ｂの記録／再生時にはその領域の光を対物レンズ４１で集光しないようにしている。
【００４７】
即ち、ＨＤ−ＤＶＤ１ｂとＢＤ１ａにより開口数は異なるため、対物レンズの面形状をＮＡ０．６５までの領域と、ＮＡ０．６５から０．８５までの領域で分ける必要があり、レンズの製造性が悪くなる。そこで、液晶レンズ４２の周辺部に別の液晶領域４２１を設け、液晶レンズ４２と別の液晶領域４２１をオン・オフ駆動する駆動回路４４を備えている。
【００４８】
図１０（ｂ）に示すように、ＨＤ−ＤＶＤの記録／再生においては液晶レンズ３２の液晶をオフにするとともに、別の液晶領域４２１からの光が対物レンズ４１に集光しないようにしている。これにより液晶レンズ２の入射光は収差を発生することなくＨＤ−ＤＶＤ用対物レンズ３１に入射するため、ＨＤ−ＤＶＤ１ｂに適したスポットを形成して、ＨＤ−ＤＶＤ１ｂの記録／再生を行う。
【００４９】
また、図１０（ｃ）はＢＤの記録／再生時の動作を示すもので、液晶レンズ４２はオンとなっており、別の液晶領域４２１からの光を対物レンズ４１で集光するようにしている。このように構成することにより、対物レンズ４１の領域を分割することなく対物レンズ４１を用いてＨＤ−ＤＶＤとＢＤの記録／再生を実現することができる。
【００５０】
尚、図８（ａ）、図１０（ａ）のレンズアセンブリ３０，４０を、図６に示すようにＤＶＤ／ＣＤ互換レンズ２５と組み合わせても、ＨＤ−ＤＶＤとＢＤ、及びＤＶＤとＣＤの４種類の異なるディスクの記録／再生ができる。
【実施例４】
【００５１】
本発明の第４の実施形態について、図１１〜図１３を参照して説明する。
【００５２】
図１１の光ピックアップ装置４００は、図１，図７の構成と比較してレンズアッセンブリ５０を用いた点と、反射ミラー１０に代えてアクティブミラー６０を用いた点で相違するが、その他の構成は同じであるため、詳細な説明は省略する。
【００５３】
図１２は、レンズアッセンブリ４０の構成を示すもので、光ディスク１と対面する側に図２（ａ）で示したＢＤ用の対物レンズ２１と、図８（ａ）で示したＨＤ−ＤＶＤ用の対物レンズ３１とをレンズホルダ５１に搭載し、前述したアクチュエータ２により、位置制御を行い、記録・再生を行うものである。
【００５４】
レンズホルダ５１の下方には、さらにアクティブミラー６０が配置されている。アクティブミラー６０には青（４０５ｎｍ付近）、赤（６５５ｎｍ付近）、赤外（７８０ｎｍ付近）の３波長に対応したミラー６１と、エレクトロクロミズムミラー６２が装着されている。
【００５５】
図１３はエレクトロクロミズムミラー６２を示したものであり、例えば酸化タングステンＷＯ３を用いたエレクトロクロミック材料６２１を電解質６２２と透明電極（ＩＴＯ）６２３でサンドイッチした構造をもつ。図１４に示すように、エレクトロクロイズムミラー６２の透過率は駆動電圧により変化するので、電圧によりアクティブに光路を切り換えるアクティブミラー６０となる。
【００５６】
エレクトロクロミズムミラー６２に駆動電圧を印加しない場合、レーザ光源３からの波長４０５ｎｍの光ビームは、エレクトロクロミズムミラー６２で反射され、ＢＤ用対物レンズ２１に入射する。エレクトロクロミズムミラー６２に駆動電圧を印加した場合、レーザ光源３からの光ビームはエレクトロクロミズムミラー６２を透過し、ミラー６１で反射され、ＨＤ−ＤＶＤ用対物レンズ３１に入射する。
【００５７】
また、エレクトロクロミズムミラー６２に駆動電圧を印加した場合であって、レーザ光源４からの波長６５５ｎｍの光ビームを用いた場合は、エレクトロクロミズムミラー６２を透過し、ミラー６１で反射され、対物レンズ３１に入射され、図８（ｄ）で説明したようにＤＶＤ１ｃの記録／再生が可能となる。
【００５８】
このように構成することにより、エレクトロクロミズムミラー６２の駆動電圧を制御することにより、ＢＤとＨＤ−ＤＶＤ、更にはＤＶＤの記録／再生を実現することができる。また、ＤＶＤ／ＣＤ互換光学系を適用することにより、ＣＤの記録／再生も可能となる。
【００５９】
尚、ＣＤの基板厚は１．２ｍｍであり、対物レンズの開口数は０．５１であるため、基板厚及び開口数のどちらの観点からもＢＤよりはＨＤ−ＤＶＤと互換を取る方が合理的である。
【００６０】
更に本発明の他の実施形態としては、図１２のアクティブミラー６０を利用し、かつ図１２の２つの対物レンズの両者に、ＢＤ用の対物レンズ２１を用い、いずれか一方の対物レンズを記録用とし、他方を再生用の対物レンズとして使用するようにしても良い。或いは、図１２の２つの対物レンズの両者に、ＨＤ−ＤＶＤ用の対物レンズ３１を用い、いずれか一方の対物レンズを記録用とし、他方を再生用の対物レンズとして使用するようにしても良い。この場合、前述の実施形態にて示したＢＤとＨＤ−ＤＶＤ互換技術を適用する。
【００６１】
即ち、青色レーザの光ビーム（４０５ｎｍ）は、低出力でありノイズ特性がやや劣るため、記録時のレーザパワーが小さくなる。また、再生時の光ビームによって万が一にも記録されないように再生時のレーザパワーを記録時に比べて相対的に下げる必要がある。
【００６２】
そこで、再生用の対物レンズをエレクトロクロミズムミラー６２側に配置し、記録用の対物レンズをミラー６１側に配置する。エレクトロクロミズムミラー６２は反射光を吸収し且つ透過光を吸収しにくい構造とし、記録時の透過率と比較し、相対的に再生時は吸収により反射率を小さくして再生用の対物レンズに導くようにしたものである。この場合、光源３から再生用の第１の対物レンズまでの光路は、光源３から記録用の第２の対物レンズまでの光路と比較して短くなる。これにより、再生時と記録時のレーザパワーの差を大きくし、低出力の青色レーザを使用した場合にも、記録／再生動作の安定性を向上させることができる。
【００６３】
図１５は、上述した光ピックアップ装置１００，２００，３００，４００のいずれか（図１５では光ピックアップ部１００として示す）を用いた、光ディスク装置７０を示すブロック図であり、ＣＤ、ＤＶＤ、ＨＤ−ＤＶＤ、ＢＤ等の光ディスク１に映像や音声信号を記録したり、記録された信号を再生するための構成を示す。
【００６４】
図１５の構成は、大別すると、コンピュータ等の外部装置（図示せず）と光ディスク装置７０とを接続するインターフェース７１と、光ディスク装置７０の全体の動作を制御するコントローラ７２と、制御系７３と、記録／再生のための信号処理系７４、及びディスク１を回転するためのスピンドルモータ７５からなる。
【００６５】
外部のコンピュータ（図示せず）と光ディスク装置７０は、インターフェース７１で接続され、データの受け渡しが行われる。光ディスク装置７０は、コントローラ７２によって全体の動作が制御され、外部コンピュータからはコントローラ７２に対して光ディスク装置７０を動かす制御信号や記録データが送られる。また、コントローラ７２からは装置の動作状況や再生データがコンピュータに送られ、光ディスク装置７０はインターフェース７１を介してコンピュ一タと連携し記録／再生の動作を行う。
【００６６】
制御系７３は、回転制御系７６、送り制御系７７、ピックアップヘッド（ＰＵＨ）制御系７８から成り、例えば、データを記録する場合は、コンピュータが光ディスク装置７０にデータの記録命令を出すと、コントローラ７２は、回転制御系７６を通じてスピンドルモータ７５を安定に回転させる。
【００６７】
送り制御系７７は、ディスクの内周から外周まで広範囲に光ピックアップ装置１００を移動させるものである。データの記録や再生は、セクタ単位で行われ、通常、トラック１周は複数のセクタからなっており、セクタ固有の番地を読んで、光スポットが記録あるいは再生したいセクタの存在するトラック上に位置しているかを調べ、光ピックアップ装置１００が希望のトラックに存在しない場合には、コントローラ７１は光ピックアップ装置１００の送り制御系７７を通じて希望トラック近傍まで移動させる。
【００６８】
更に、希望トラック近傍に光ピックアップ装置１００が到達した後の位置調整は、ＰＵＨ制御系７８を通じて、フォーカシングやトラッキングといった光スポットの位置制御を行い、希望のトラック上に光スポットをもっていくようにシークする。
【００６９】
また、記録／再生の信号処理系７４においては、コンピュータから送られてきた記録したいデータを実際に記録するための記録信号に変換し、記録信号に応じて光ピックアップ装置１００のレーザ光源の光ビームを調整してデータの記録を行う。また、再生の場合も同様に、再生したい希望のセクタにアクセスして記録されたデータを再生する。
【００７０】
ここで、コントローラ７２は、光ピックアップ装置１００に対し、ＰＵＨ制御系７８を介して、記録／再生をＢＤとＨＤ−ＤＶＤとで切り換える指示（コマンド）を出力し、これにより駆動回路２４の制御信号をコントロールし、つまり液晶レンズ２２のオン・オフを制御する。また、上記他の実施形態における光ピックアップ装置２００，３００，４００を用いた場合にも同様に、コントローラ７２の指示に基づき、液晶レンズのオン・オフ制御、第１及び第２の対物レンズの切り換え制御、エレクトロクロミズムミラーの反射・透過制御を行う。
【００７１】
以上述べたように、本発明ではＨＤ−ＤＶＤ用に設定した対物レンズ、又はＢＤ用に設定した対物レンズと液晶レンズとを利用することにより、ＨＤ−ＤＶＤとＢＤの互換を可能にすることができる。また、レンズホルダ上にＤＶＤ／ＣＤ互換レンズを搭載することにより、又は既知のＤＶＤ／ＣＤ互換技術と組み合わせることにより、４種類の光ディスクへの記録及び再生を実現することができる。
【００７２】
なお、本発明は、上記実施形態そのままに限定されるものではなく、実施段階ではその要旨を逸脱しない範囲で構成要素を変形して具体化できる。また、上記複数の実施例を適宜組み合わせ、そこに開示されている複数の構成要素から適宜な組み合せを選択することにより種々の発明を形成できる。また、上記実施形態に示される全構成要素から幾つかの構成要素を適宜削除して実施してもよい。
【図面の簡単な説明】
【００７３】
【図１】本発明の光ピックアップ装置の一実施形態を説明する構成図。
【図２】同実施形態におけるレンズアッセンブリの構成と動作を説明する説明図。
【図３】同実施形態に使用する液晶レンズによる収差補正量を示す説明図。
【図４】同実施形態における偏心による光学収差を説明する説明図。
【図５】同実施形態における像高による光学収差を説明する説明図。
【図６】同実施形態におけるレンズアッセンブリの他の形態を説明する説明図。
【図７】本発明の光ピックアップ装置の第２の実施形態を説明する構成図。
【図８】図７の実施形態におけるレンズアッセンブリの構成と動作を説明する説明図。
【図９】本発明の光ピックアップ装置の第３の実施形態を説明する構成図。
【図１０】図９の実施形態におけるレンズアッセンブリの構成と動作を説明する説明図。
【図１１】本発明の光ピックアップ装置の第４の実施形態を説明する構成図。
【図１２】図１１の実施形態におけるレンズアッセンブリの構成と動作を説明する説明図。
【図１３】図１２の実施形態にて使用するエレクトロクロミズムミラーの構成を説明する説明図。
【図１４】図１２のエレクトロクロミズムミラーの特性を説明する特性図。
【図１５】本発明の光ピックアップ装置を用いた光学的情報処理装置を示すブロック図。
【符号の説明】
【００７４】
１…光ディスク
１ａ…ＢＤ（Blu Ray Disk）
１ｂ…ＨＤ−ＤＶＤ
１ｃ…ＤＶＤ
１００，２００，３００，４００…光ピックアップ装置
２…アクチュエータ
３…ＨＤ−ＤＶＤ／ＢＤ用レーザ光源
４…ＤＶＤ用レーザ光源
５…ＣＤ用レーザ光源
６…ダイクロイックミラー
７…トリクロイックミラー
８…ビームスプリッタ
９…コリメートレンズ
１０…反射ミラー
１１…受光素子
１２…シリンドリカルレンズ
２０，３０，４０，５０・・・レンズアッセンブリ
２１…ＢＤ用対物レンズ
２２，３２，４２…液晶レンズ
２３，３３，４３，５１…レンズホルダ
２５…ＤＶＤ／ＣＤ互換レンズ
３１，４１…ＨＤ−ＤＶＤ用対物レンズ
６０…アクティブミラー
６１…ミラー
６２…エレクトロクロミズムミラー
６２１…エレクトロクロミック材料
６２２…電解質
６２３…透明電極（ＩＴＯ）
７０…光ディスク装置（光学的情報処理装置）
７１…インターフェース
７２…コントローラ
７３…制御系
７４…信号処理系
７５…スピンドルモータ
７６…回転制御系
７７…送り制御系
７８…ピックアップヘッド制御系
【図１】
2007026540.tif 000003
【図２】
2007026540.tif 000004
【図３】
2007026540.tif 000005
【図４】
2007026540.tif 000006
【図５】
2007026540.tif 000007
【図６】
2007026540.tif 000008
【図７】
2007026540.tif 000009
【図８】
2007026540.tif 000010
【図９】
2007026540.tif 000011
【図１０】
2007026540.tif 000012
【図１１】
2007026540.tif 000013
【図１２】
2007026540.tif 000014
【図１３】
2007026540.tif 000015
【図１４】
2007026540.tif 000016
【図１５】
2007026540.tif 000017